(57)【特許請求の範囲】
【請求項１】
撮像対象から飛来する放射線を測定する検出器と、前記検出器の前面に配置して前記放射線の入射方向を制限するコリメータとを備えたガンマカメラと、
前記ガンマカメラの視野内の光学的な画像を撮影する光学カメラと、
画像表示装置と、
を備えた放射線撮像装置であって、
前記ガンマカメラの視野内の放射線分布を表す放射線画像の生成対象とする核種を選択するための入力手段と、
前記検出器の測定データから前記入力手段によって選択された核種に対応する前記放射線画像を生成する放射線画像生成手段と、
前記放射線画像を前記光学カメラによって撮影した光学画像に重ね合わせて合成画像を生成する画像合成手段と、
エネルギーの大きさ毎に前記測定データの個数を全領域について積算することによって、放射線源のエネルギースペクトルを表すエネルギースペクトル画像を生成するエネルギースペクトル画像生成手段と、
前記エネルギースペクトル画像上に、前記選択された核種に対応して予め設定される所定のエネルギーウインドウを表示し、当該エネルギーウインドウ内に含まれる測定データに対応する放射線画像を前記放射線画像生成手段に生成させ、前記合成画像と前記エネルギースペクトル画像とを、前記画像表示装置に表示させる表示制御手段と、
を備えたこと特徴とする放射線撮像装置。
【請求項２】
請求項1に記載の放射線撮像装置において、
前記放射線画像に表示される各画素の画素値を変更して表示するための上限画素値と下限画素値の範囲を限定する入力手段を備えたこと特徴とする放射線撮像装置。
【請求項３】
請求項１または請求項２に記載の放射線撮像装置において、
前記放射線データを測定する所定時間を可変とする入力手段を備えたこと特徴とする放射線撮像装置。
【請求項４】
請求項１から請求項３のいずれか一項に記載の放射線撮像装置において、
前記放射線を測定する前記検出器として、ピクセル型の半導体放射線検出器を用いたことを特徴とする放射線撮像装置。
【請求項５】
請求項１から請求項４のいずれか一項に記載の放射線撮像装置において、
前記核種を選択するための入力手段は、前記画像表示装置に表示される核種選択ボタンであることを特徴とする放射線撮像装置。
【発明の詳細な説明】
【技術分野】
【０００１】
本発明は、屋外や屋内の放射線画像を撮像する放射線撮像装置に関するものである。
【背景技術】
【０００２】
屋外や屋内の放射線画像を撮像するために用いられる可搬式のガンマカメラは、空間位置を検出可能な放射線検出器と、放射線の検出器への入射方向を制限するコリメータにより構成されている。コリメータとしては一般にピンホールコリメータが使用されるが、感度を高くするために符号化開口コリメータ等が用いられることもある。また、関心領域外からの放射線を遮蔽する目的で、放射線検出器は遮蔽材で覆われるが、遮蔽材は鉛等で構成されるので、装置の重量増加を避けるためには放射線検出器を小型化する必要がある。
【０００３】
放射線検出器には、シンチレータや半導体検出器等が使用されている。特に半導体検出器は、ピクセル化が容易で高空間分解能化できるとともに、小型化が容易であり装置の重量を低減できる。また、半導体検出器はエネルギー分解能が高いので、核種分析にも有効である。
【０００４】
ガンマカメラを用いることで放射線の空間分布を画像化することができるが、それだけでは実際の放射線源の位置を同定できないので、ガンマカメラと光軸及び視野角を一致させた光学画像を撮影する光学カメラを備えて、放射線の空間分布を表す放射線画像を光学画像に重ね合わせた合成画像を表示する方法が用いられている。
【０００５】
また、エネルギースペクトルとは、計測した放射線のエネルギー分布を所定のエネルギー幅によりヒストグラム化したものであり、精密にはマルチチャンネルアナライザー等により計測される（例えば、特許文献１）。医療用のガンマカメラにおいては、このエネルギースペクトルを用いて検出器の感度やゲインの補正処理が実施される（例えば、特許文献２）。
【先行技術文献】
【特許文献】
【０００６】
【特許文献１】特開２００８‐１１１７０４号公報
【特許文献２】特表２００４−５２２１６４号公報
【発明の概要】
【発明が解決しようとする課題】
【０００７】
可搬式のガンマカメラによる放射線計測の測定ニーズは、如何なる線源がどこにどれだけあるかを特定することであり、言い換えれば、線源位置、線源強度、及び核種の同定が可能であることが求められる。可搬式のガンマカメラの適用先の一つとして、例えば原子力発電所内の特定区域のような高い放射線量場が想定される。高線量場での測定作業においては、被曝量低減の観点から短時間での操作が強く望まれる。従って、ガンマカメラでの測定作業においても、可能な限り短時間で線源を特定できることが要求される。
【０００８】
また、高線量場においてガンマカメラを使用するにあたっては、バックグラウンドノイズ低減のために検出器部分の遮蔽強化が必須であるが、その他の電子回路系や光学カメラ等においても照射ダメージ低減の目的で遮蔽が必要となる。しかしながら、可搬式のガンマカメラにおいては、装置のハンドリング性の制約から重量には限界があるので、電子回路系や光学カメラ等に必ずしも十分な遮蔽が実施できていない。従って、照射ダメージによる部品故障を前提としたシステム設計と運用が要求されることとなる。装置には、極力耐放射線性の高い部品が使用されるが、そのような対応が難しい部品に関しては、簡易に交換可能な構造とし定期的な部品交換を実施する必要がある。また、実作業時においては装置の故障リスクが高いので、装置の健全性を常に監視する必要がある。
【０００９】
そこで本発明は、放射線源の位置と強度と種類を短時間で同定でき、かつ装置の健全性を瞬時に判断可能な放射線撮像装置を提供することを課題とする。
【課題を解決するための手段】
【００１０】
前記の課題を解決するために、本発明に係る放射線撮像装置は、撮像対象から飛来する放射線を測定する検出器と、前記検出器の前面に配置して前記放射線の入射方向を制限するコリメータとを備えたガンマカメラと、前記ガンマカメラの視野内の光学的な画像を撮影する光学カメラと、画像表示装置と、を備えた放射線撮像装置であって、前記ガンマカメラの視野内の放射線分布を表す放射線画像の生成対象とする核種を選択するための入力手段と、前記検出器の測定データから前記入力手段によって選択された核種に対応する前記放射線画像を生成する放射線画像生成手段と、前記放射線画像を前記光学カメラによって撮影した光学画像に重ね合わせて合成画像を生成する画像合成手段と、エネルギーの大きさ毎に前記測定データの個数を全領域について積算することによって、放射線源のエネルギースペクトルを表すエネルギースペクトル画像を生成するエネルギースペクトル画像生成手段と、前記エネルギースペクトル画像上に、前記選択された核種に対応して予め設定される所定のエネルギーウインドウを表示し、当該エネルギーウインドウ内に含まれる測定データに対応する放射線画像を前記放射線画像生成手段に生成させ、前記合成画像と前記エネルギースペクトル画像とを、前記画像表示装置に表示させる表示制御手段と、を備えるものとした。
【発明の効果】
【００１１】
本発明によれば、放射線源の位置と強度と種類を短時間で同定でき、かつ装置の健全性を瞬時に判断可能な放射線撮像装置を提供することができる。
【図面の簡単な説明】
【００１２】
【図１】本発明の実施形態に係る放射線撮像装置の全体構成図である。
【図２】放射線撮像装置が備えるガンマカメラの内部構造を示す断面図である。
【図３】ガンマカメラに内蔵するピクセル型の検出器の例を示す斜視図である。
【図４】ピクセル型の検出器の第一の変形例を示す斜視図である。
【図５】ピクセル型の検出器の第二の変形例の入射面側を示す斜視図である。
【図６】ピクセル型の検出器の第二の変形例の入射面の反対面側を示す斜視図である。
【図７】ピクセル型の検出器の第三の変形例を示す斜視図である。
【図８】ピクセル型の検出器の第四の変形例であるシンチレータ検出器を示す斜視図である。
【図９】本発明の実施形態に係る放射線撮像装置の機能構成図である。
【図１０】画像表示装置に表示される画面の構成及び表示例を示す図である。
【図１１】核種としてＣｓ−１３７が選択されたときの画面の表示例を示す図である。
【図１２】核種としてＣｓ−１３４が選択されたときの画面の表示例を示す図である。
【図１３】放射線画像に表示する画素値の範囲が変更されたときの画面の表示例を示す図である。
【発明を実施するための形態】
【００１３】
以下、本発明を実施するための形態（以下、「本実施形態」という）について、適宜図面を参照しながら詳細に説明する。
【００１４】
＜放射線撮像装置の全体構成＞
図１は、本実施形態に係る放射線撮像装置の全体構成図である。放射線撮像装置１は、ガンマカメラ１０、光学カメラ１１、距離計１２、制御装置１３、及び画像表示装置１４から構成されている。ガンマカメラ１０の前面に設けられているピンホールコリメータ３０から入射した放射線（ガンマ線）を撮像した放射線画像を、ガンマカメラ１０と光軸及び視野角を一致させた光学カメラ１１で撮影した可視光の画像である光学画像に重ね合わせて合成した画像を、制御装置１３が生成して画像表示装置１４に表示させる。距離計１２は、ガンマカメラ１０の視野内の各領域を走査することで視野内に存在するそれぞれの撮像対象までの距離を計測し、計測した距離情報を制御装置１３に送信する。この距離情報は、制御装置１３がガンマカメラ１０から入力した放射線の測定データを補正して線量率を演算するために用いられる。
【００１５】
＜ガンマカメラ＞
図２は、放射線撮像装置１が備えるガンマカメラ１０の内部構造を示す断面図である。ガンマカメラ１０は、検出器モジュール２０、ピンホールコリメータ３０、及び遮蔽体４０を備えて構成されている。
【００１６】
ピンホールコリメータ３０は、例えばタングステン製であり、視野外からの放射線の入射を遮蔽して検出器モジュール２０内の検出器２１へ入射するガンマ線の入射方向を限定している。遮蔽体４０は、例えば２ｃｍ厚の鉛製であり、視野外からのガンマ線の入射を遮断している。ピンホールコリメータ３０及び遮蔽体４０の材料は上記に限定されるものではなく、ガンマ線の遮蔽を目的として、測定環境や使用目的に応じて材料を適宜選択すればよい。もちろん、遮蔽体４０の厚さも上記に限定されない。
【００１７】
＜検出器モジュール＞
次に、検出器モジュール２０について、図２を用いて詳細に説明する。検出器モジュール２０は、検出器２１、検出器基板２３、ＡＳＩＣ（Application Specific Integrated Circuit）基板２４、ＡＳＩＣ２５、及び遮光・電磁シールド２６を備えて構成されている。
【００１８】
検出器２１は、半導体（例えばＣｄＴｅ）と電極によって構成され、検出器基板２３に保持されている。ＡＳＩＣ２５は、検出器２１がガンマ線を検出したときに出力される微小信号を増幅するための特定用途向け集積回路であり、ＡＳＩＣ基板２４に搭載されている。検出器２１から出力される微小な検出信号は、検出器基板２３、ＡＳＩＣ基板２４を介して、ＡＳＩＣ２５に入力され増幅されて出力される。ＡＳＩＣ２５にて増幅された検出信号は、図示しないＡＤＣ（Analog to Digital Converter）によりデジタル信号化されたのち、図示しないＦＰＧＡ（Field Programmable Gate Array）等のデジタル回路素子により、ガンマ線を検出した検出器２１のＩＤ（Identification：識別子）、検出信号の波高値、検出時刻などのデジタルデータに変換されて制御装置１３（図１）に出力される。これら検出器２１等は、外部から入射する光や電磁波を遮断するアルミニウム製の遮光・電磁シールド２６によって囲まれている。
【００１９】
＜検出器＞
図３は、ガンマカメラ１０に内蔵するピクセル型の検出器の例を示す斜視図である。本例では、検出器基板２３（図２参照）に、ＣｄＴｅ半導体を用いた検出器２１を２次元に配列して検出器群２１Ａを構成している。なお、個々の検出器２１が、生成される放射線画像を構成する１つのピクセルに対応している。
【００２０】
図３において、上面側が検出器２１のガンマ線の入射面２１ｆであり、電圧を印加する電極２２ａ，２２ｂは検出器２１の側面に配置される。このように、１枚の大きな結晶からなるシンチレータと異なり、検出信号は、各検出器２１単位、つまりピクセル単位で収集される。
【００２１】
また、ガンマカメラ１０に内蔵するピクセル型の検出器は、図３に示す検出器群２１Ａのように検出器２１がピクセルごとに区切られたものに限られず、図４から図８に示すような検出器（検出器群２１Ｂ，２１Ｃ，２１Ｄ，２１Ｅ）を用いてもよい。
【００２２】
図４は、ピクセル型の検出器の第一の変形例を示す斜視図である。図４に示すピクセル型の検出器（検出器群２１Ｂ）は、１枚のＣｄＴｅ半導体の基板に対して、共通電極２２ｃをＣｄＴｅ半導体の基板の一方の面、つまり、入射面２１ｆ側の全面に配置し、入射面２１ｆの反対側の面にピクセル単位で区切られた電極２２ｄを配置して、電極２２ｄの１個分に相当する面積部分のＣｄＴｅ半導体の基板と共通電極２２ｃとで、それぞれがピクセルに対応した検出器を構成するものである。
【００２３】
図５は、ピクセル型の検出器の第二の変形例の入射面側を示す斜視図であり、図６は、入射面の反対面側を示す斜視図である。図５、図６に示すピクセル型の検出器（検出器群２１Ｃ）は、１枚のＣｄＴｅ半導体の基板に対して、入射面２１ｆ側の全面に共通電極２２ｃを配置し、ＣｄＴｅ半導体の基板の入射面２１ｆの反対側の面にピクセル単位で区切られた電極２２ｄを配置し、加えて、ダイシングによって形成された溝で半導体基板を区切ることで個々の検出器を構成するものである。
【００２４】
図７は、ピクセル型の検出器の第三の変形例を示す斜視図である。図７に示すピクセル型の検出器（検出器群２１Ｄ）は、１枚のＣｄＴｅ半導体の基板に対して、複数の帯状の電極２２ｅ，２２ｆをＣｄＴｅ半導体の基板の上面と下面に直角ねじれの関係で対向して配置している。上面または下面のいずれか一方の帯状の電極２２ｅを陽極とし、他方の面の帯状の電極２２ｆを陰極とする。陽極の電極２２ｅと陰極の電極２２ｆがクロスして対向した部分が1つの検出器を形成する（特開２００４−１２５７５７号公報参照）。
【００２５】
図８は、ピクセル型の検出器の第四の変形例であるシンチレータ検出器を示す斜視図である。図８に示すピクセル型の検出器（検出器群２１Ｅ）は、検出器基板２３（図２参照）に、シンチレータ２１ｇとフォトダイオード２１ｈからなる小型のシンチレータ検出器を２次元に配列している。この場合、個々のシンチレータ２１ｇの側面は、図示しない遮光材で囲われている。また、図８に示すシンチレータ検出器の変形例として、ピクセル毎に区切られたシンチレータ２１ｇと位置感応型光電子増倍管（ＰＳＰＭＴ：Position-Sensitive Photomultiplier Tube）で構成してもよい。
【００２６】
＜表示制御＞
次に、放射線撮像装置１における放射線測定データの表示制御について説明する。図９は、図１に示した本実施形態に係る放射線撮像装置１の機能構成図である。図９に示すように、放射線撮像装置１における放射線測定データの表示制御は、コンピュータによって構成される制御装置１３（図１参照）が、撮像対象から飛来する放射線を計測するガンマカメラ１０からの測定データと、光学カメラ１１によって撮影されたガンマカメラ１０の視野内の光学画像のデータと、距離計１２によって計測されたガンマカメラ１０の視野内の撮像対象までの距離データとを入力して、キーボードなどの入力装置１５から入力される測定条件及び表示条件に従って所定の演算処理を行い、液晶ディスプレイなどの画像表示装置１４（図１参照）に測定結果の画面を表示させることにより行われる。
【００２７】
制御装置１３は、図示しないＣＰＵ（Central Processing Unit）が図示しない記憶装置等から所定のプログラムを主メモリにロードして実行することにより、光学画像生成手段５１、距離情報演算手段５２、放射線画像生成手段５３、画像合成手段５４、エネルギースペクトル画像生成手段５５、表示制御手段５６、の各機能を具現化する。
【００２８】
本実施形態に係る放射線撮像装置１においては、操作者は、入力装置１５を使用して必要な測定条件等を設定し、撮像の開始・終了等の制御を実施する。従って入力装置１５には、図示しない測定条件入力ボタン、撮像開始ボタン、撮像終了ボタン、更には装置の温度等の状態表示機能（ランプや液晶パネル）が実装されているものとする。これらのボタンや表示機能は、制御装置１３が実行するプログラムにより画像表示装置１４の画面上に実装することも可能である。
【００２９】
光学画像生成手段５１は、光学カメラ１１から入力される光学画像のデータからガンマカメラ１０の視野内の光学画像のビットマップデータを生成して画像合成手段５４に引き渡す。距離情報演算手段５２は、距離計１２から入力される距離データからガンマカメラ１０の視野内の各領域毎の撮像対象までの距離を示す距離情報を生成して放射線画像生成手段５３に引き渡す。
【００３０】
放射線画像生成手段５３は、ガンマカメラ１０から入力される検出器ＩＤと検出信号の波高値（エネルギー）からなる放射線測定データを取得し、検出器２１毎（ピクセル毎）の放射線測定データの数をカウントすることにより、ガンマ線カウント数、計数率（ｃｏｕｎｔ／ｓｅｃ）を算出して、ピクセル毎の放射線量を示す放射線画像のビットマップデータを生成して画像合成手段５４に引き渡す。また、放射線画像生成手段５３は、ピクセル毎のそれぞれの放射線測定データを、距離情報演算手段５２から引き渡された当該ピクセルに対応する領域の撮像対象までの距離によって補正して線量率に変換した放射線画像のビットマップデータを生成することも可能である。
【００３１】
ここで、生成される放射線画像のビットマップデータは、図１０の放射線画像６０に例示しているような、前記のガンマ線カウント数、計数率、線量率等を白黒濃淡やカラースケールにてその強度を表示する画像の元となるデータである。本実施形態においては、図示しないボタンの操作により、ガンマ線カウント数、計数率、線量率のいずれかに表示の切り替えが行われるものとする。
【００３２】
画像合成手段５４は、光学画像生成手段５１から引き渡された光学画像のビットマップデータを背景として、放射線画像生成手段５３から引き渡された放射線画像のビットマップデータを重ね合わせて合成（オーバーレイ）することにより、画像表示装置１４に表示させる放射線画像６０（図１０）のビットマップデータを生成して表示制御手段５６に引き渡す。このとき、画像合成手段５４は、背景として合成する光学画像の濃淡や色調に応じて見やすい表示となるように放射線ビットマップ画像の濃淡や色調を調整することが好ましい。なお、図１０〜図１３の放射線画像６０においては、簡略化のため背景の光学画像の描画を省略している。
【００３３】
エネルギースペクトル画像生成手段５５は、ガンマカメラ１０から入力される放射線測定データを波高値（エネルギー）の大きさにより区分けし、エネルギーの大きさ毎の測定データの個数を全領域について積算することにより、エネルギースペクトル画像のデータを生成して表示制御手段５６に引き渡す。
【００３４】
表示制御手段５６は、入力装置１５から入力された測定条件及び表示条件に従って、画像合成手段５４から引き渡された放射線画像のビットマップデータと、エネルギースペクトル画像生成手段５５から引き渡されたエネルギースペクトル画像のデータとに、必要な編集を施すことにより、画像表示装置１４に表示させる測定結果の画面データを生成する。生成された測定結果の画面データは、図示しないビデオメモリに書き込まれ、画像表示装置１４に表示される。
【００３５】
＜画面の構成及びデータ例＞
続いて、本実施形態の放射線撮像装置１の画像表示装置１４に表示される画面の構成及びデータ例について図１０〜図１３を用いて説明する。図１０に示すように、画面には、放射線画像６０、エネルギースペクトル７０、核種選択ボタン８０、表示画素値変更スライダー９０、及び積算時間選択ボタン１００が配置されている。
【００３６】
放射線画像６０には、前記した画像合成手段５４によって光学画像に重ね合わせて合成され、表示制御手段５６によって必要な編集が施された放射線画像が表示される。エネルギースペクトル７０には、前記したエネルギースペクトル画像生成手段５５によって生成され、表示制御手段５６によって必要な編集が施されたエネルギースペクトル画像が表示される。
【００３７】
核種選択ボタン８０は、核種のフォトピークに応じたエネルギーの範囲を設定するための操作ボタンであり、例えば、総合ボタン８１、Ｃｓ−１３７ボタン８２、Ｃｓ−１３４ボタン８３から構成される。これらのいずれかの操作ボタンが選択されると、エネルギースペクトル７０上に網かけで示すように、核種のフォトピークに応じて予め設定されたエネルギーウインドウが表示されるとともに、当該エネルギーウインドウに含まれる測定データから生成される放射線画像６０が表示される。
【００３８】
表示画素値変更スライダー９０を構成している上限値設定バー９１と下限値設定バー９２は、マウスなどを用いてそれぞれ上下方向に移動させることにより、放射線画像６０に表示する放射線ビットマップ画像の上限画素値と下限画素値の範囲を設定するものである。放射線画像６０は、カラーまたは濃淡表示にて各ピクセルのガンマ線カウント数、計数率または線量率を表示するが、この表示画素値変更スライダー９０を用いて表示する画素値の範囲を限定することで、見たい画素値範囲のスケールを拡大して強調表示させることができる。具体的には、上限値設定バー９１のスライド位置に対応する上限画素値以上の各画素の画素値を最大画素値とし、下限値設定バー９２のスライド位置に対応する下限画素値以下の各画素の画素値を最小画素値とし、下限画素値と上限画素値との間の画素値を最小画素値と最大画素値との間に線形マッピングするように、各画素の画素値を変更する。
【００３９】
積算時間選択ボタン１００は、放射線計測をする積算時間を設定するための複数のラジオボタン（択一式の操作ボタン）から構成され、例えば図１０等に示すように１０秒のラジオボタンが選択されている場合は、直近１０秒間の測定データを積算して、放射線画像６０及びエネルギースペクトル７０を表示する。低線量場においては、積算時間を長めに設定することにより、測定データをためて統計誤差を小さくする必要がある。逆に、高線量場においては、計数レートが高いので、積算時間を短く設定して短時間の測定にしてもよい。ちなみに、本実施形態の放射線撮像装置１においては、放射線画像６０及びエネルギースペクトル７０を１秒間隔で画像更新するものとしている。もちろん、この画像更新時間は１秒に限定されるものではなく、使用環境等に応じて適宜設定すればよい。
【００４０】
図１０は、核種選択ボタン８０のなかから総合ボタン８１が選択され、表示画素値変更スライダー９０では最上部に上限値設定バー９１が、最下部に下限値設定バー９２が置かれることで表示する画素値の範囲が最大に設定され、積算時間選択ボタン１００により積算時間が１０秒に設定されているときの画面の表示例である。この場合、直近の１０秒間の測定データを積算した放射線画像６０及びエネルギースペクトル７０が表示され、所定値以上のエネルギーを有するすべての測定データ（ガンマ線カウント）を含むようにエネルギースペクトル７０上にエネルギーウインドウが設定され、それらの測定データから生成された放射線画像６０が表示されている。
【００４１】
図１１は、図１０と同じ測定データについて、核種選択ボタン８０のなかからＣｓ−１３７ボタン８２が選択された場合の画面の表示例であり、エネルギースペクトル７０上に、Ｃｓ−１３７のフォトピークエネルギーである６６２ｋｅＶ（０．６６２ＭｅＶ）の前後５％の範囲にエネルギーウインドウが設定されている。これに伴って、当該エネルギーウインドウに含まれる測定データから生成された放射線画像６０が表示されるので、Ｃｓ−１３７の線源位置の特定が可能となる。
【００４２】
図１２は、同様に核種選択ボタン８０のなかからＣｓ−１３４ボタン８３が選択された場合の画面の表示例であり、エネルギースペクトル７０上に、Ｃｓ−１３４のフォトピークエネルギーである６０５ｋｅＶ（０．６０５ＭｅＶ）と７９６ｋｅＶ（０．７９６ＭｅＶ）のそれぞれ前後５％の範囲にエネルギーウインドウが設定されている。これに伴って、当該エネルギーウインドウに含まれる測定データから生成された放射線画像６０が表示されるので、Ｃｓ−１３４の線源位置の特定が可能となる。
【００４３】
もちろん、核種の設定はこれに限定されるものではなく、計測対象に応じてその他の核種を設定してもよいし、手動でエネルギーウインドウの上下限値を入力できるようにしてもよい。また、ウインドウ幅も５％に限定されるものではなく、検出器２１のエネルギー分解能等に応じて適宜設定すればよい。
【００４４】
図１３は、核種としてＣｓ−１３７が選択されている図１１の状態において、操作者が表示画素値変更スライダー９０の上限値設定バー９１を下方向にスライドさせた結果、表示する放射線測定データ（ガンマ線カウント数、計数率、または線量率）の上限画素値が最大画素値の約５０％に設定されたときの画面の表示例である。図１１の放射線画像６０では相対的に強度が大きい部分だけが見えていたが、図１３の放射線画像６０では、図１１の画素値が小さい部分の画素値が約２倍にスケールアップされ、画素値が大きい部分の画素値が最大画素値までスケールアップされたことで、相対的に強度が小さい部分も見えるようになり、図１１で見えている線源よりも強度が小さい線源が右斜め上方向にも存在していることが分かる。
【００４５】
以上説明したように、本実施形態によれば、光学画像に合成された放射線画像６０により、放射線源の位置と核種を短時間で同定することが可能であり、撮像対象との距離によって測定データを補正することにより線源の強度分布もほぼリアルタイムで把握することができる。線源分布が不明な高線量場における測定では、被曝量低減の観点から短時間で核種毎の強度分布を把握できるメリットは非常に大きい。核種を同定できれば、被曝量低減の観点から、その場で臨機応変に対応方法を変えることができる。例えば、ガンマ線のエネルギーが低ければ薄い鉛の遮蔽でも十分だと判断できるが、逆に高エネルギーであれば厚い遮蔽が必要となる。また、除染作業時には、核種毎に除染方法を変えることでより効果的な除染作業が可能となる。
【００４６】
また、エネルギースペクトル７０を表示することにより、装置の健全性のチェックも可能である。ガンマカメラ１０が完全に故障して出力が無い場合には、スペクトルが全く表示されないので故障であることが即座に分かる。検出器２１に異常が発生してノイズが出力されると波高値が不正確となりフォトピークが計測できなくなるので、そのことから検出器２１の故障の発生を検知できる。従って、表示されたエネルギースペクトル７０を見ることにより、ほぼリアルタイムでの装置の健全性チェックが可能となる。
【００４７】
また、積算時間選択ボタン１００により、線量に応じた積算時間を設定して計測することが可能となる。特に高線量場においては、被曝低減の観点から短時間作業が望まれており、より短時間での計測が可能となる効果は大きい。時々刻々と変化している状況でも非常に有効で、除染作業や非常事態等への対応が可能となる。また、固定撮像でなく移動しながらの撮像も可能となる。
【００４８】
また、表示画素値変更スライダー９０により放射線画像６０の画素値の表示スケールを変えられるので、見たい強度部分を強調して表示させることができる。例えば、最大のホットスポットに隠れて判別しづらかった第２の強度のホットスポットを識別することが可能となる。また、放射線画像６０は光学画像に重ね合わせて表示するために、可視光画像が見やすくなるように放射線画像の低画素値部分ほど透明となるようにしている。従って、高画素値部分（高線量部分）は強調されてその位置がよく分かるが、低画素値部分（低線量部分）の分布が分かりづらい問題があった。本実施形態によれば、表示画素値変更スライダー９０により低画素値のピクセルを強調して表示することで、判別しづらかった低画素値部分（低線量部分）の分布を明確に表示することができる。
【００４９】
また、本実施例においては半導体放射線検出器を使用している。半導体検出器は、微細加工可能で小型化が可能であること、また、エネルギー分解能が高いこと等が特徴である。半導体素子を微細化してピクセル化することにより高い空間分解能が実現できるし、小型化することにより遮蔽体の重量を抑えて装置の軽量化を図ることができる。また、高エネルギー分解能なので、核種分析が可能となるし、前記のエネルギーウインドウを狭めることができて、エネルギーウインドウ中に混入する散乱線等のノイズを低減しＳ／Ｎ（Signal／Noise）比の高い計測が可能となる。具体的には、より正確な核種毎の放射線画像を提供することができる。
【符号の説明】
【００５０】
１    放射線撮像装置
１０  ガンマカメラ
１１  光学カメラ
１２  距離計
１３  制御装置
１４  画像表示装置
１５  入力装置
２０  検出器モジュール
２１  検出器
２１Ａ，２１Ｂ，２１Ｃ，２１Ｄ，２１Ｅ  検出器群
２１ｆ  入射面
２１ｇ  シンチレータ
２１ｈ  フォトダイオード
２２ａ，２２ｂ，２２ｄ，２２ｃ，２２ｅ，２２ｆ  電極
２２ｃ  共通電極
２３  検出器基板
２４  ＡＳＩＣ基板
２５  ＡＳＩＣ（放射線計測回路）
２６  遮光・電磁シールド
３０  ピンホールコリメータ
４０  遮蔽体
５１  光学画像生成手段
５２  距離情報演算手段
５３  放射線画像生成手段
５４  画像合成手段
５５  エネルギースペクトル画像生成手段
５６  表示制御手段
６０  放射線画像
７０  エネルギースペクトル
８０  核種選択ボタン
８１  総合ボタン
８２  Ｃｓ−１３７ボタン
８３  Ｃｓ−１３４ボタン
９０  表示画素値変更スライダー
９１  上限値設定バー
９２  下限値設定バー
１００  積算時間選択ボタン
【図１】
0005762268.tif 000002
【図２】
0005762268.tif 000003
【図３】
0005762268.tif 000004
【図４】
0005762268.tif 000005
【図５】
0005762268.tif 000006
【図６】
0005762268.tif 000007
【図７】
0005762268.tif 000008
【図８】
0005762268.tif 000009
【図９】
0005762268.tif 000010
【図１０】
0005762268.tif 000011
【図１１】
0005762268.tif 000012
【図１２】
0005762268.tif 000013
【図１３】
0005762268.tif 000014